(57)【要約】【課題】電化製品を安全に閉じ、安全リスクを減少させる。【解決手段】リモートコントロールシステムは、リモコン発信装置及びリモコン受信装置を含む。そのリモコン発信装置には制御モジュール、制御モジュールと電気的に連結している発信のマスターモジュール及び発信のマスターモジュールと電気的に連結している信号の出力モジュールを含む。そのリモコン受信装置には信号の受信モジュール、信号の受信モジュールと電気的に連結している受信マスターモジュール及び受信マスターモジュールと電気的に連結している制御ポートモジュールを含める。その制御モジュールが使用者の操作によって操作用の信号を生成し、発信のマスターモジュールへ送出する。その発信のマスターモジュールが操作用の信号を処理し、間隔時間及び外部の電化製品の数量に相応する各リモコン信号によって時間を遅延して外部の各電化製品をコントロールする。【選択図】図１
2015019348.tif 000002
【特許請求の範囲】
【請求項１】
リモコン発信装置及びリモコン受信装置を含むリモートコントロールシステムであって、
前記リモコン発信装置には、制御モジュール、前記制御モジュールと電気的に連結している発信マスターモジュール及び前記発信マスターモジュールと電気的に連結している信号出力モジュールが含まれており、
前記リモコン受信装置には信号受信モジュール、前記信号受信モジュールと電気的に連結している受信マスターモジュール及び前記受信マスターモジュールと電気的に連結している制御ポートモジュールが含まれており、
前記制御モジュールは、使用者の操作によって操作用信号を生成して、前記発信マスターモジュールへ送出し、
前記発信マスターモジュールは、操作用信号に対して処理を行い、外部の電化製品の数量に相応する各リモコン信号を生成して前記信号出力モジュールへ送出し、前記信号出力モジュールがリモコン信号を外部へ送出し、
前記信号受信モジュールは、リモコン信号を受信すると前記受信マスターモジュールへ送出し、前記受信マスターモジュールがリモコン信号を解析し処理することによって生成した制御コマンドを前記制御ポートモジュールへ送出し、前記制御ポートモジュールが各制御コマンドを該当する外部の電化製品へ送出し、
前記制御ポートモジュールが各々の制御コマンドを送出するタイミングは、予め定められた各外部の電化製品の動作タイミングに対応する間隔時間に対応付けられていることを特徴とするリモートコントロールシステム。
【請求項２】
前記電化製品には、雨戸、カーテン及び照明が含まれており、前記発信マスターモジュールは、リモコン信号として雨戸用リモコン信号、カーテン用リモコン信号及び照明用リモコン信号を生成することを特徴とする請求項１に記載のリモートコントロールシステム。
【請求項３】
前記発信マスターモジュールは、マイクロプロセッサ及びマイクロプロセッサと電気的に連結しているタイマーブロックを含んでおり、操作用の信号を受信した後、前記タイマーブロックにて設けた時間によって雨戸用リモコン信号、カーテン用リモコン信号及び照明用リモコン信号を順次に生成することを特徴とする請求項１に記載のリモートコントロールシステム。
【請求項４】
雨戸用リモコン信号とカーテン用リモコン信号の間隔時間は3s-7sであり、カーテン用リモコン信号と照明用リモコン信号の間隔時間は18s-22sであることを特徴とする請求項２又は３に記載のリモートコントロールシステム。
【請求項５】
前記制御モジュールには、機能を有するボタン及びID登録ブロックが含まれており、前記機能を有するボタンを操作すると操作用の信号が生成され、前記ID登録ブロックが外部の電化製品に対するIDを登録することを特徴とする請求項１に記載のリモートコントロールシステム。
【請求項６】
前記信号出力モジュールは、有線或は無線を介して前記信号受信モジュールと電気的に連結していることを特徴とする請求項１に記載のリモートコントロールシステム。
【請求項７】
前記外部の電化製品は、さらに、調光器を含んでおり、前記調光器は前記制御ポートモジュールと照明との間に連結しており、前記調光器が制御コマンドを受けた後、第１の照度まで第１の速度で照度を低下させ、第１の照度から第２の照度まで第１の速度よりも遅い第２の速度で照度を低下させることを特徴とする請求項１に記載のリモートコントロールシステム。
【請求項８】
リモートコントロールシステムの制御方法であって、リモコン発信装置において使用者の操作によって操作用信号を生成し、処理する第１のステップと、間隔時間によって外部の電化製品の数量に相応する各リモコン信号を外部へ送出する第２のステップと、リモコン受信装置においてリモコン信号を受信した後、リモコン信号を解析、処理することによって生成した各制御コマンドを該当する外部の電化製品へ前記間隔時間に対応したタイミングで送出する第３のステップと、を有することを特徴とするリモートコントロールシステムの制御方法。
【請求項９】
前記リモコン信号は、雨戸用リモコン信号、カーテン用リモコン信号及び照明用リモコン信号であることを特徴とする請求項８に記載のリモートコントロールシステムの制御方法。
【請求項１０】
雨戸用リモコン信号とカーテン用リモコン信号の間隔時間は3s-7sであり、カーテン用リモコン信号と照明用リモコン信号の間隔時間は18s-22sであることを特徴とする請求項８に記載のリモートコントロールシステムの制御方法。
【発明の詳細な説明】
【技術分野】
【０００１】
本発明は電化製品に関わる制御装置、特に一つのリモートコントロールシステム及びその制御方法に関する発明である。
【背景技術】
【０００２】
生活レベルの向上に伴い、殆どの部屋に複数の雨戸、カーテン及び照明が設置されており、これらの電化製品は、電化スイッチを操作することで開閉させることができる。就寝前には、雨戸、カーテンを閉め、いくつかの照明を消灯させてから、ベットに入る。部屋に複数の窓が設けられているる場合には、就寝前に個々の雨戸やカーテンを閉めなければならないため、非常に面倒である。従来技術として、一つのボタンで雨戸、カーテン及び照明の動作を可能にした技術が知られている。
【０００３】
しかしながら、この従来技術には、以下のデメリットがある。第１に、雨戸及びカーテンを閉めるためにはある程度の時間を必要とするが、照明の場合瞬間的に消灯するため、雨戸やカーテンが実際に閉まったかどうかを目視で確認出来ないことがある。第２に、照明を消した後に暗い部屋で歩くのは危険である。第３に、照明が急に消灯すると、消灯の衝撃が大きく眠りにくく、小さい子供は怖がる事が多い。したがって、前述のリモートコントロールシステムに対して改良を行う必要がある。
【発明の概要】
【発明が解決しようとする課題】
【０００４】
前記のような技術的問題を解決するため、本発明では一つの各電化製品に対してある一定の遅延時間を設けたリモートコントロールシステム及びその制御方法を提供する。
【課題を解決するための手段】
【０００５】
本発明で採用した技術案は一つのリモートコントロールシステムを提供し、リモコン発信装置及びリモコン受信装置を含む。前記リモコン発信装置には制御モジュール、制御モジュールと電気的に連結している発信マスターモジュール及び発信マスターモジュールと電気的に連結している信号出力モジュールを含む。前記リモコン受信装置は、信号受信モジュール、信号受信モジュールと電気的に連結している受信マスターモジュール及び受信マスターモジュールと電気的に連結している制御ポートモジュールを含む。前記制御モジュールは、使用者の操作によって操作用信号を生成し、発信マスターモジュールへ送信する。前記信マスターモジュールは、操作用信号を処理し、間隔時間によって操作対象の電化製品の数量に応じた各リモコン信号を信号出力モジュールに送出し、信号出力モジュールよりリモコン信号を送出する。前記信号受信モジュールがリモコン信号を受信し受信マスターモジュールへ送出する。受信マスターモジュールがリモコン信号を解析し実行することによって制御コマンドを生成し、制御ポートモジュールへ送出する。前記制御ポートモジュールが制御コマンドを外部の該当する電化製品へ送出する。
【０００６】
ここで外部電化製品には雨戸、カーテン及び照明を含めることができる。リモコン信号には雨戸のリモコン信号、カーテンのリモコン信号及び照明のリモコン信号を含めることができる。
【０００７】
発信マスターモジュールにはマイクロプロセッサ及びマイクロプロセッサと連結しているタイマーブロックを含めることができる。操作用の信号を受信するとタイマーブロックで設けた時間によって雨戸用リモコン信号、カーテン用リモコン信号及び照明用のリモコン信号が順次に生成される。
【０００８】
その雨戸用リモコン信号とカーテン用リモコン信号の間隔時間は3s-7s、カーテン用リモコン信号と照明用のリモコン信号の間隔時間は18s-22sに設定することができる。
【０００９】
制御モジュールには機能を有するボタン及びID登録ブロックを含めることができる。その機能を有するボタンは操作されることより操作用信号を生成、そのID登録ブロックは外部の電化製品に対するID登録を行うことができる。
【００１０】
その信号出力モジュールは、有線或は無線を介して信号受信モジュールと電気的に連結している。
【００１１】
その外部の電化製品には調光器も含めることができる。調光器は制御ポートモジュールと照明の間に連結され、制御コマンドを受信すると照明照度の調整を遅延する。遅延時間は8min-12minであってもよい。
【００１２】
本発明では採用したもう一つの技術案は、一つのリモートコントロールシステムの制御方法を提供し、リモコン発信装置が用いられる。使用者の操作によって操作用信号を生成し、処理する。間隔時間によって外部電化製品の数量に該当する各リモコン信号を送出する。リモコン受信装置が受信した後、リモコン信号に対して解析を行い、制御コマンドを生成して該当する外部の電化製品へ送信する。
【００１３】
そのリモコン信号は雨戸用リモコン信号、カーテン用リモコン信号及び照明用リモコン信号である。その雨戸用リモコン信号とカーテン用リモコン信号の間隔時間は3s-7s、カーテン用リモコン信号と照明用リモコン信号の間隔時間は18s-22sに設定することができる。
【００１４】
既存のリモートコントロールシステムにおいて雨戸とカーテンを閉め、照明を消す場合、照明が瞬間的に消灯することによって雨戸とカーテンを閉めたかを確認できないことが有る。また、照明を急に消灯すると、暗い部屋で歩くことになり危険を伴うばかりでなく、消灯の衝撃が大きく眠りにくく、小さい子供は怖がる事が多い。本発明で提供したリモートコントロールシステムはリモコン発信装置とリモコン受信装置を含んでいる。リモコン発信装置に制御モジュール、発信マスターモジュール及び信号出力モジュールを含んでおり、制御モジュールが使用者の操作によって操作用信号を生成し、発信マスターモジュールが操作用信号を受けた後、間隔時間によって外部電化製品の数量に相応する各リモコン信号を信号出力モジュールへ送出する。リモコン受信装置にある受信マスターモジュールがリモコン信号を解析して処理することによって各制御コマンドを生成し、制御ポートモジュールを介して外部の電化製品へ送出する。外部の電化製品は、制御コマンドに従って動作を行う。操作をする人が各機器の動作を目視可能な状態にして機器を操作する人に自然に安心感を与える事が出来る。
【００１５】
本発明ではまた一つのリモートコントロールシステムの制御方法を提供する。リモコン発信装置において使用者の操作によって操作用信号を生成し処理する、間隔時間によって外部の電化製品の数量に相応する各リモコン信号を生成する。リモコンの受信装置が受信したリモコン信号に対して解析し生成したリモート制御コマンドによって外部の電化製品の動作をコントロールする。人々の生活に便利を運び、雨戸とカーテンを閉めたかも確認できるので安全リスクを減少させることができる。
【図面の簡単な説明】
【００１６】
【図１】この発明の有線リモコン送信装置とリモコン受信装置の構成を説明するブロック図である。
【図２】この発明の無線リモコン送信装置とリモコン受信装置の構成を説明するブロック図である。
【図３】この発明のリモートコントロールシステムにおいて各電化製品の動作時間を説明するブロック図である。
【図４】この発明のリモートコントロールシステムにおいての制御方法を説明するフロー図である。
【図５】この発明のリモコン送信装置において数個信号送出の間隔時間を説明するブロック図である。
【発明を実施するための最良の形態】
【００１７】
本発明の技術内容、構造特徴、実現の目的及び効果を詳しく説明するため、次の実施方法及びブロック図に合わせて説明する。
（実施例１）
図１と図３に示すように、本発明のリモートコントロールシステムは、有線リモコン発信装置10及びリモコン受信装置20を含む。有線リモコン発信装置10は、制御モジュール11、制御モジュール11と電気的に連結している発信マスターモジュール１２及び発信用マスターモジュール12と電気的に連結している信号出力モジュール13を含む。リモコン受信装置20は、信号受信モジュール21、信号受信モジュール21と電気的に連結している受信マスターモジュール22及び受信マスターモジュール22と電気的に連結している制御ポートモジュール23を含む。
【００１８】
制御モジュール11が使用者の操作によって操作用信号を生成し、発信マスターモジュール12へ送出する。発信マスターモジュール12は操作用信号に対して処理を行い、間隔時間によって外部の電化製品の数量に相応する各リモコン信号を生成して、信号出力モジュール13へ送出する。信号出力モジュール13がリモコン信号を外部へ送出する。信号受信モジュール21がリモコン信号を受信すると受信マスターモジュール22へ送出する。受信マスターモジュール22がリモコン信号を解析し処理することによって生成した制御コマンドを制御ポートモジュール23へ送出する。制御ポートモジュール23が各制御コマンドを該当する外部電化製品へ送出することによって、各外部電化製品が動作する。
【００１９】
制御モジュール１１は機能を有するボタン及びID登録ブロックを含む。機能を有するボタンを操作することによって、操作用信号を生成する。ID登録ブロックは外部の電化製品に対してID設定、リセットする。機能を有するボタンが操作によって動作する。
【００２０】
図3に示すように、具体的な実施例においては、その電化製品に雨戸A、カーテンB及び照明C等が含まれる。リモコン信号には、雨戸用のリモコン信号、カーテン用のリモコン信号及び照明用のリモコン信号が含まれる。発信マスターモジュール12は、マイクロプロセッサ及びマイクロプロセッサと連結しているタイマーブロックを含む。発信マスターモジュール12が操作用の信号を受信した後、タイマーブロックの設定した時間によって雨戸用のリモコン信号、カーテン用のリモコン信号及び照明用のリモコン信号を順次に生成する。
【００２１】
生成した各リモコン信号は、信号出力モジュール13を介して即時に外部へ送出される。雨戸用のリモコン信号とカーテン用のリモコン信号との間隔時間は3s-7sで、カーテン用のリモコン信号と照明用のリモコン信号との間隔時間は18s-22sである。例えば、雨戸用のリモコン信号とカーテン用のリモコン信号の間隔時間は5sに設定することができる。カーテン用のリモコン信号と照明用のリモコン信号の間隔時間は20sに設定することができる。前記の間隔時間は発信マスターモジュール１２にあるタイマーブロックにて設定することができる。
【００２２】
具体的な間隔時間は実際の設計要求に応じて変えることができる。有線リモコン発信装置１０においてある一定の遅延時間を設け操作機器に対して操作用信号を生成し送出する。具体的には、有線リモコンの発信装置１０において、機能を有するボタンを操作することによって操作用信号を生成し、発信マスターモジュール１２で処理した後、雨戸用のリモコン信号を生成してリモコン受信装置２０へ送出する。リモコン受信装置２０が雨戸のリモコン信号を解析、処理することによって制御コマンドを生成する。制御コマンドを受信した雨戸は、その制御コマンドに応じた動作を行う。
【００２３】
発信マスターモジュール１２は、3s-7s経った後カーテン用のリモコン信号を生成しリモコン受信装置２０へ送出する。リモコン受信装置２０は、カーテン用のリモコン信号を解析して、処理することによって制御コマンドを生成する。制御コマンドを受信したカーテンは、制御コマンドに応じた動作を行う。このように、雨戸よりもカーテンの動作タイミングを遅延させることで、雨戸が閉じたことを目視で確認することができる。発信マスターモジュール１２は、18s-22s経った後、照明用のリモコン信号を生成しリモコン受信装置２０へ送出する。リモコン受信装置２０は、照明用のリモコン信号を解析して処理することによって、制御コマンドを生成する。制御コマンドを受信した照明は、制御コマンドに応じた動作を行う。
【００２４】
図3に示すように、外部の電化製品には、調光器Dを含めることができる。調光器Dは制御コマンドを受けた後、調光器Dと連結している照明の照度を調整する。3s以内に調光器Dと繋がっている照明の照度を30％まで調整し、さらに8min-12min経過してから完全に消灯させることができる。つまり、第１の照度（本例では３０％）まで第１の速度で照度を低下させ、第１の照度から第２の照度（本例では０％）まで第１の速度よりも遅い第２の速度で照度を低下させることができる。これにより、人々の日常生活が便利になる。
【００２５】
本実施例では、雨戸とカーテンが完全に閉まった後に、照明が消灯し始めるように、間隔時間を設定したが、本発明はこれに限るものではない。例えば、照度が３０％に低下するまでに、雨戸とカーテンが完全に閉まるように、間隔時間を設定することもできる。
【００２６】
（実施例２）
図2に示すように、リモートコントロールシステムは、無線発信装置10及びリモコン受信装置20を含むように構成することもできる。無線リモコン発信装置10に含まれる信号出力モジュール13とリモコン受信装置20に含まれる信号受信モジュール21が無線を介して通信する。具体的に、無線リモコン発信装置及びリモコン受信装置の機構は実施例一と同様のため、省略する。
【００２７】
本発明では一つのリモートコントロールシステムを提供し、リモコン発信装置及びリモコン受信装置を含んでいる。リモコン発信装置には制御モジュール、発信マスターモジュール及び信号出力モジュールが含まれている。制御モジュールは、使用者の操作によって操作用の信号を生成する。発信マスターモジュールは、操作用の信号を受信した後、間隔時間によって外部の電化製品の数量に相応する各リモコン信号を信号出力モジュールへ送出する。リモコン受信装置にある受信マスターモジュールがリモコン信号に対して解析し処理することによって生成した制御コマンドを、制御ポートモジュールを介して外部の電化製品へ送出する。外部の電化製品は、制御コマンドに従って動作する。操作をする人が機器の動作を目視可能な状態にして機器を操作する人に自然に安心感を与える。
【００２８】
図4に示すように、本発明ではまた一つのリモートコントロールシステムに対する制御方法を提供する。リモコン発信装置において、使用者の操作によって操作用の信号を生成し、処理する。間隔の時間によって外部の電化製品の数量に相応する各リモコン信号を外部へ送出する。リモコン受信装置においてリモコン信号を受けて解析し処理することによって生成した制御コマンドを該当する電化製品へ送出する。
【００２９】
図5に示すように、具体的な実施例においてその電化製品には雨戸、カーテン及び照明が含まれる。リモコン信号は雨戸用のリモコン信号、カーテン用のリモコン信号及び照明用のリモコン信号である。雨戸用のリモコン信号とカーテン用のリモコン信号の間隔時間は3s-7sであり、カーテン用のリモコン信号が照明用のリモコン信号との間隔時間は18s-22sである。例えば、雨戸のリモコン信号とカーテン用のリモコン信号の間隔時間は5s、カーテン用のリモコン信号が照明用のリモコン信号との間隔時間は20sに設定することができる。
【００３０】
本発明ではまた一つのリモートコントロールシステムに対する制御方法を提供する、リモコン発信装置において、使用者の操作によって操作用の信号を生成し、処理する。間隔の時間によって外部の電化製品の数量に相応する各リモコン信号を生成する。リモコン受信装置において前記のリモコン信号を受けて解析し処理することによって生成した制御コマンドを介して外部の電化製品の動作をコントロールする。雨戸やカーテンを閉めたか確認をできるので安全リスクを減少させ、人々の生活に便利を運ぶ。
【００３１】
前述した内容は本発明において実施した例だけとして本発明の技術範囲を限定するものではない。全て本発明の説明書、ブロック図等を利用して同様な効果を図るために行った機構やプロセスの変換、若しくは直接的に又は間接的にその他の関係技術分野に利用しても本発明の技術保護範囲内と見なす。
【符号の説明】
【００３２】
10-有線/無線リモコン送信装置、11-制御モジュール、12-発信のマスターモジュール、13-信号の出力モジュール、20-リモコン受信装置、21-信号の受信モジュール、22-受信のマスターモジュール、23-制御ポートモジュール。
【図１】
2015019348.tif 000003
【図２】
2015019348.tif 000004
【図３】
2015019348.tif 000005
【図４】
2015019348.tif 000006
【図５】
2015019348.tif 000007